(57)【特許請求の範囲】
【請求項１】
高さ調節構造を有する支柱部の上端側を所定長さ分だけ折曲して上腕部に形成した上、該上腕部先端側には吊着金具を配してなるものにすると共に、その基端をベース部に着脱自在に接続し、支柱部がベ−ス部上に立設状に支持されるようにする一方、上腕部先端側に配した吊着金具には、中央部が上方に突出して引っ掛け部に形成され、該引っ掛け部の周囲複数箇所から、折り畳みおよび外周方向斜め下方に向けて展開可能な複数本の細骨材を放射状に延伸、配置すると共に、隣接する細骨材先端部間の夫々に、伸縮構造を有する弾性縁取り線を掛け渡し状に連結してなる傘型状骨格枠を着脱自在に吊着した上、当該傘型状骨格枠に対し、その下方からは、所定平面積で透光性または半透光性素材による濾過シートが、その略中央を貫通し、前記引っ掛け部下部に脱着自在に結合する中央取着構造と、各弾性縁取り線の適宜中途複数箇所の夫々に、濾過シートの外周縁側を脱着自在に挟み止め可能とする複数の握着金具とにより、濾過シートの略中央および外周縁部の適宜複数箇所の夫々を脱着自在に張設可能なものとしたことを特徴とする卓上型排煙具。
【請求項２】
濾過シートが、通過する空気中の煙や匂い成分を、繊維表面および／または繊維中に吸着可能な不織布を、適宜形状に裁断することによって形成され、必要な場合には、その適所に比較的硬質な骨格枠を一体的に設けてなる、請求項１記載の卓上型排煙具。
【請求項３】
支柱部が、その上腕部先端側の所定間隔置き毎に、点在するよう吊着金具の複数個を配置させるか、もしくは、上腕部の所定範囲に沿って移動自在なスライド構造を介して吊着金具を設けた構造のものに形成され、最適な位置の吊着金具を選択するか、または最適な位置まで移動調節するかした吊着金具に傘型状骨格枠を垂下状に装着可能な構造のものに形成された、請求項１または２何れか記載の卓上型排煙具。
【請求項４】
濾過シートによって包囲状とされた傘型状骨格枠内側には、下方から上方に向けて強制送風可能な送風ファンが組み込まれてなるものとした、請求項１ないし３何れか記載の卓上型排煙具。
【発明の詳細な説明】
【０００１】
【発明の目的】
この発明は、空気中に含まれる煙や湯気、匂い等の不快な成分を排除して、室内の空気を清浄に保つことのできる排煙具に関するものであって、特に、コンロ、ホットプレート、炭火等を利用して卓上で加熱調理をしながら食事を摂る際等に発生する煙を、食卓周辺の空気中から自動的に除去することを可能とする新規な構造からなる卓状型排煙具を提供しようとするものである。
【０００２】
【従来の技術】
家庭の団欒や親しい人々が集い、歓談しながら食事等を摂る際に、卓上用コンロやホットプレートあるいは炭火等を利用し、鍋や焼肉等を卓上で調理しながら、季節の料理や名産品を味わうことは楽しいものであるが、特に焼肉料理の匂いや油は、衣類や髪の毛に付着して不快な思いをすることがある上、煙が室内中に拡がり、その後も残った匂いが二、三日消えなかったり、飛沫となって飛び散り、浮遊した油分が床面に付着して滑りやすくなってしまう等、食後の掃除や消臭に手間がかかってしまうことがあり、匂いや汚れに敏感な人々等からは敬遠がちとなる。
【０００３】
そこで、このような卓上で発生する煙や匂いを効果的に除去してしまうものとして、例えば特開平１０−２４１４５５号公報の空気清浄機能付き照明装置や、実開平６−１９８１２号公報に開示される照明付き空気清浄化装置等が既に開発されており、これらは何れも天井に設けられた室内照明用の電気配線に予め接続して設置し、蛍光灯による照明と空気清浄との両方の機能を発揮する構造を有し、通常は照明装置として使用し、空気を浄化しようとする際に、送風ファンを起動させ、室内の空気を浄化用フィルターに強制的に循環させることができるものとなっている。しかしながら、空気清浄機能を使用していない状態であっても、フィルター部分が常に露出状となる構造であるため、煙や埃等を吸着して次第に汚れてきたときに、油分や煙成分等を吸着して汚れたフィルターが、装置自体の外観を悪化させ、室内の美観をも損ねてしまう虞れがあり、また高所に設置されているので、フィルターを新しい物に交換するときにも脚立や椅子等を使用する必要がある外、蛍光ランプを交換する際にも排気フードの取り外しが必要になる等、高齢者や子供等には困難な作業となってしまう上、構造が複雑な分、比較的高価であるという欠点をもつものであった。
【０００４】
この発明は、以上のように、焼肉料理等が発生する匂いや煙を室内に充満させる前段階に、室内照明を阻害せずに卓上で効率的に除去することを可能とし、且つ簡素で比較的低廉な構造からなる排煙具を実現することはできないものかとの判断から、逸速くその開発、研究に着手し、長期に渡る試行錯誤と幾多の試作、実験とを繰り返してきた結果、今回、遂に新規な構造の卓上型排煙具を実現化することに成功したものであり、以下では、図面に示すこの発明を代表する実施例と共に、その構成を詳述することとする。
【０００５】
【発明の構成】
図面に示すこの発明を代表する実施例からも明確に理解されるように、この発明の卓上型排煙具は、基本的に次のような構成から成り立っている。
即ち、高さ調節構造を有する支柱部の上端側を所定長さ分だけ折曲して上腕部に形成した上、該上腕部先端側には吊着金具を配してなるものにすると共に、その基端をベース部に着脱自在に接続し、支柱部がベ−ス部上に立設状に支持されるようにする一方、上腕部先端側に配した吊着金具には、中央部が上方に突出して引っ掛け部に形成され、該引っ掛け部の周囲複数箇所から、折り畳みおよび外周方向斜め下方に向けて展開可能な複数本の細骨材を放射状に延伸、配置すると共に、隣接する細骨材先端部間の夫々に、伸縮構造を有する弾性縁取り線を掛け渡し状に連結してなる傘型状骨格枠を着脱自在に吊着した上、当該傘型状骨格枠に対し、その下方からは、所定平面積で透光性または半透光性素材による濾過シートが、その略中央を貫通し、前記引っ掛け部下部に脱着自在に結合する中央取着構造と、各弾性縁取り線の適宜中途複数箇所の夫々に、濾過シートの外周縁側を脱着自在に挟み止め可能とする複数の握着金具とにより、濾過シートの略中央および外周縁部の適宜複数箇所の夫々を脱着自在に張設可能なものとした構成を要旨とする卓上型排煙具である。
【０００６】
支柱部は、卓上の所定高さ位置に、傘型状骨格枠を吊着状とし、安定に支持する機能を果たすものであり、ペース部への接続構造を有していて、不用意に転倒しないバランス状態に立設されたものとしなければならず、所望する高さに調節可能な高さ調節構造を設けたものとすべきであって、耐久強度が高く、耐腐食性に秀れた金属やグラスファイバー、カーボンファイバー等を含有した合成樹脂等の素材から形成するのが望ましく、比較的軽量なパイプ状素材を、テレスコープ型に組み合わせて伸縮可能な構造としたり、複数の駒部材を蛇腹状に組合せ、湾曲状に変形させた状態を維持する可撓構造とする等した、収納の際に有利な折り畳み構造を兼ねる高さ調節構造とするのが好ましい。
【０００７】
したがって、支柱部は、直線状、折れ線状、湾曲線状、またはそれらを適宜組合せた形状とすることが可能であり、ベ−ス部上に鉛直状に立設されたもの、あるいはベ−ス部上に適宜角度傾斜された立設構造とすることが可能であり、また、上端側の所定長さ部分を、支柱部基端側とは異なる構造をもつ上腕部とすることが可能であり、例えば、支柱部基端側をテレスコープ型の伸縮構造とし、上腕部をヒンジ構造を有して折り畳み可能な構造とすることができる外、上腕部基端に仮止め構造を有する角度調節機構を設けたり、水平状または所定角度に傾斜された上腕部を、進退移動して調節する仮止め構造を有する進退調節機構を設けたものとすることが可能である。
【０００８】
ベース部は、卓上に安定に接地または取着、結合して上記の支柱部を確実に支持する機能を果たすものであり、支柱部基端側を脱着自在に接続可能な構造を有するものとしなければならず、テーブルの縁部を挟み込む状態で固定することができるクリップ構造や、底面に吸盤からなる吸着構造を有するもの、あるいは、充分な接地面積を確保可能な形状に形成したものとすることができ、適宜折り畳み構造を設けて、使用しないときには、折り畳んで小型化することができるよう構成するのが望ましく、箱本体および蓋部を展開させることによってベース部を形成し、折り畳んだ傘型状骨格枠、支柱部、および濾過シート等の各部品を該箱本体内に収納し、蓋部を箱形状に閉鎖できる構造とすることが可能である。
【０００９】
吊着金具は、前記した支柱部上腕部先端側に、後述する傘型状骨格枠を着脱自在に吊着する機能を果たすものであり、傘型状骨格枠を吊下するのに充分な強度を有する素材および構造からなるものを選択、採用しなければならず、複数個を上腕部先端側の所定間隔置き毎に点在するよう配置させ、使用する際に最適な位置を選択して傘型状骨格枠を吊着できる構造とすることができる外、上腕部の所定範囲に沿って移動自在なスライド構造を介して設け、使用の際に最適な位置まで移動調節して、傘型状骨格枠の吊着位置を調節できる構造とすることが可能である。
【００１０】
傘型状骨格枠は、卓上のコンロや加熱調理用プレート等から立ち昇る煙の通過範囲に、後述の濾過シートを所望する形状を維持する張設状態に支持可能とすると共に、該濾過シートを、支柱部上腕部の吊着金具に好適な姿勢を保つよう吊着する機能を果たすものであって、吊着金具に着脱自在な引っ掛け部を重心位置付近に設け、その外周側に向かうに従い下り勾配の放射状配置となり、濾過シートの各部を張設可能とする複数本の細骨材を一体的に設けた構造とし、引っ掛け部や細骨材等の複数適所に濾過シートを仮止め可能な取着構造を設けなければならず、各細骨材の隣接する先端部間の夫々に、濾過シートの外周縁部を仮止め可能とする弾性縁取り線を掛け渡した構造とするのが好ましく、弾性縁取り線の代りに、弾性変形しない軟質な紐状線や、硬質な棒状線を設けたものとすることもできる。
【００１１】
引っ掛け部は、前記の吊着金具に傘型状骨格枠を着脱自在に吊着する機能を果たすものであり、複数本の細骨材を、充分な強度で支持する構造としなければならず、その下部には、実施例の如く濾過シートの略中央付近を脱着可能に装着する中央取着構造を設けたものとすることができる外、上下中途部に、濾過シートの略中央を肉厚方向に貫通可能な脱着構造を設け、細骨材の上側に濾過シートを張着可能な構造とすることができる。また、折り畳んだ細骨材を仮固定するロック機構を設けたものとすることが可能であり、必要に応じて送風ファンや卓上用の照明ランプ等を一体的に設けた構造とすることができる。
【００１２】
細骨材は、後述する濾過シートを、その中央が上方に突出状であって、外周側に向かうに従って下り勾配で放射状となるようにした所望平面形状のものに張設、支持する機能を果たすものであり、濾過シートの適宜複数箇所を着脱自在に装着する構造としなければならず、折り畳みあるいは伸縮して小型化可能な構造とすべきであり、例えば、引っ掛け部に連結される基端側および中途部適所の夫々にヒンジ構造または軟質素材からなる可撓部を設けて折り畳み自在な構造とするか、またはテレスコープ型に伸縮自在な構造、あるいはそれらを組み合わせた構造その他とするかすることができ、実施例に取り上げたもののように、隣接するもの同士の先端部あるいは中途部の適所間に伸縮構造を有する弾性縁取り線を掛け渡し状に設け、濾過シートの適所を張設状に支持できるよう構成したものとすることができる外、各先端部を略鉛直上方に向けて延伸させ、この延伸された部分にも濾過シートを張設することにより、短筒状の通気路を形成する構造とすることができる。
【００１３】
弾性縁取り線は、先の細骨材間に掛け渡し状の縁取り線を形成し、傘型状骨格枠の細骨材が設けられていない範囲の濾過シートを支持可能とする機能を果たすものであって、ゴムやコイルバネから形成されるか、あるいは一部に同様の伸縮構造を設けた紐状もしくは棒状のものとすべきであり、例えば、実施例のとおり、両端に細骨材の先端に設けられた繋着環または繋着鈎等に係合可能な鈎状金具を設けたものとするのが望ましく、外周側に濾過シートの対応箇所を巻き付け、外側から挟み止める状態に、クリップ型の握着金具を装着するか、ピン留め構造を用いて着脱自在に装着する構造のものとすることができる外、両面粘着テープまたは片面粘着テープを用いて濾過シートを仮固定するようにした構造のもの等とすることができる。
【００１４】
中央取着構造は、傘型状骨格枠の引っ掛け部下部に下記の濾過シート中央またはその近傍を仮止め状に取着する機能を果たすものであり、確実に仮固定できる構造としなければならず、脱着作業が容易な構造とするのが望ましく、例えば、引っ掛け部下側部に永久磁石または磁性素材からなる吸着体を設け、濾過シートの中央付近の肉厚部を挟み込む状態で、該吸着体に強力に吸着する永久磁石あるいは磁性素子からなる吸着子を着脱自在に設けたものとすることができる外、実施例に示してあるもののように、引っ掛け部下側部に形成されたナット部に、濾過シートの中央付近の肉厚部に雄ネジ部を貫通させた取着用ネジを螺着し、仮固定する構造とすることが可能であり、前記吸着子や取着用ネジの座面付近には、所定面積範囲に張り出して、濾過シートを抑え込む面積を拡大可能な保持枠を設けたものとするのが望ましい。
【００１５】
濾過シートは、前記した傘型状骨格枠に張設され、卓上の加熱調理器から上昇してくる空気を通過すると共に、通過する空気中の煙成分を吸着する機能を果たすものであって、透光性または半透光性を有する軟質、あるいは硬質のシート状素材から形成し、傘型状骨格枠によって中央部が上向きに突出され、外周側が下側に向けて傾斜された形状に張設可能な構造としなければならず、通過する空気中の煙や匂い成分を、繊維表面および／または繊維中に吸着可能な不織布や、微細な通気孔を多数有して煙や匂い成分を吸着する樹脂フィルム、あるいは、煙成分を吸着する機能を有する天然繊維や合成繊維等の比較的軟質なシート状素材を、傘型状骨格枠に対応可能な形状に裁断することによって形成されたものとするのが望ましく、必要な場合には、適所に比較的硬質な軽金属や合成樹脂等からなる骨格枠を、粘着剤を用いたり、熔着する等して一体的に設けるか、あるいはシート素材自体を熱硬化させて骨格枠を一体形成し、細骨材の不足部分の形状を維持できる構造とすることができる。
【００１６】
送風ファンは、濾過シートの卓上面に面する下面側から、これとは反対側の上面側に向けて、該濾過シートの肉厚方向に強制的に空気を吸引し、濾過シートによる濾過効果を増強するために送風する機能を果たすものであって、駆動用モーターと回転翼とを有するものとしなければならず、傘型状骨格枠に一体的に設けることができる外、支柱部上腕部付近に設けることが可能であり、操作スイッチが一体に設けられたもの、あるいはベ−ス部に操作スイッチが設けられると共に、バッテリーを設けるか、変圧器、整流器を設けたベース部から接続プラグを有する電源コードを延伸させ、家庭用電源で起動可能な構造とすることができる。
以下では、図面に示すこの発明を代表する実施例と共に、その構造について詳述することとする。
【００１７】
【実施例１】
図１の卓上型排煙具の斜視図、図２の傘型状骨格枠の斜視図、図３の濾過シートを装着する傘型状骨格枠の斜視図、図４の濾過シートを装着した傘型状骨格枠の斜視図、および図５のベ−ス部の斜視図に示される事例は、ベ−ス部上に鉛直状に立設した伸縮型支柱部の上腕部を、略水平方向に向けて折曲、延伸させ、平面形略矩形状の傘型状骨格枠を吊着してなるよう形成した、この発明の基本的構成を遍く兼ね備えている卓上型排煙具における最も代表的な一実施例を示すものである。
【００１８】
当該卓上型排煙具１は、そのベ−ス部２が、図５中に示されるように、中央から二つ折り状態に折り畳み可能とするよう、二枚のベース板２１，２１の接合縁部にヒンジ金具２２，２２を装着し、一方のベース板２１の接合部に相当する縁部の略中央位置に対応する部位には、半円形状であって短円柱型の支持ブロック２５の下端側に形成した雄ネジ部２６を螺着させるための雌ネジ部２４を有する舌片状凸板部２３が形成され、これに対応する他方のベ−ス板２１の接合縁部には、展開時に該舌片状凸板部２３が嵌合状となる半円形状の凹欠部２８を形成したものとなっている。
【００１９】
支柱部３は、その基端部を、支持ブロック２５の上端中央に穿孔した立設孔２７に差し込み状として略鉛直状に立設可能とし、中途部がテレスコープ型の高さ調節構造３１とされ、更に上端側を略水平方向に折曲、延伸して上腕部３２を形成すると共に、該上腕部３２から所定間隔置きの三カ所夫々に、下部に小環部を有する吊着金具３３，３３，３３が固着されたものとなっており、何れか適宜選択した一つの吊着金具３３に、後述するよう構成された傘型状骨格枠４の引っ掛け部４１を吊着できるようになっている。
【００２０】
傘型状骨格枠４は、図２に示すように，短柱状に形成し、上端部に吊着金具３３に吊着可能な吊り下げ用の金具を有する引っ掛け部４１が、その下側外周面から、略等間隔となる四方向に向けて放射状であって、下り勾配をもつよう傾斜させた四本の細骨材４２，４２，……が、夫々同一寸法に延伸されたものとなっており、各細骨材４２，４２，……夫々の基部および中途部適所に、上方に向けて折り畳み可能なヒンジ部４３，４３，……が設けられ、図２中の矢印方向に折り畳むことができるよう形成したものとなっている。
【００２１】
細骨材４２，４２，……は、その各先端部に小型の繋着環４４，４４，……を設け、図３のように，隣接する細骨材４２，４２の先端部間夫々に、適度の弾性を有するコイルスプリングからなる弾性縁取り線４５，４５，……を掛け渡し状に連結したものとする一方、該引っ掛け部４１の下端面に設けた、図示しない鉛直状の雌ネジ部に、弾性を有する小矩形状の抑え網５１の中央部、および座金５２を夫々貫通した蝶ネジ５３を螺着し、中央取着構造５を形成したものとなっており、傘型状骨格枠４の下側内側形状に対応するよう略矩形状に裁断された半透光性の不織布からなる濾過シート６の略中央を、蝶ネジ５３が貫通する状態で抑え込み、外周縁部の複数適所の夫々を、図４中に示すように弾性縁取り線４５，４５，……の外周に巻き掛け、複数個の握着金具４６，４６，……を用いて仮固定し、弛みや皺が生じないよう張着することが可能な構造としている。
【００２２】
【実施例２】
図６の他の折り畳み構造を有するベース部の斜視図、および図７の折り畳み構造を設けた上腕部を有する支柱部の斜視図に示される事例は、この発明の卓上型排煙具に包含される他の実施例を示すものであり、工場出荷や収納の際に、より小さく折り畳むことができるよう構成されたものである。
図６中のベース部２は、折り畳み可能に形成された二枚のベース板２１，２１の接合縁間の略中央に、短円柱型の支持ブロック２５を嵌着可能な円形であって、円周縁部の適所に係合用溝部が形成された嵌着孔２９を形成し、該嵌着孔２９に嵌着された支持ブロック２５の基端側外周部に設けられた係合爪を、対応する嵌着孔２９係合用溝部に係合させることにより、二枚のベース板２１，２１と支持ブロック２５とが一体的に仮結合され、更に、ベ−ス板２１，２１接合部の外側縁に沿って仮止め用移動駒が、スライド自在に装着されたレール溝を設けたものとなっている。
【００２３】
図７の支柱部３は、上腕部３２の基部が、テレスコープ型に伸縮するよう形成され、先端側が、図中矢印で示すとおり、その軸体を中心から二つに縦割り状に展開できるようなヒンジ構造３４，３４をもって形成され、折り畳まれた状態では、支柱部基端側内部に収納するよう収縮状に折り畳み可能であり、展開させた状態では、略水平状に支持され、上腕部３２先端側には、軸方向に沿ってスライド移動自在な吊着金具３３を装着したものとなっている。
【００２４】
【実施例３】
図８の送風ファンを設けた卓上型排煙具の断面図に示される事例は、送風ファンを設けることにより、強制的な通気を行って排煙するよう構成したものであり、傘型状骨格枠４の各細骨材４２，４２，……の夫々の先端部を、上方に向けて折曲させた上、所定寸法延伸させ、濾過シート６を張着することによって短尺な鉛直状の排風路を形成するものとし、更に支柱部上腕部３２の先端中途部を、適宜形状に折曲して形成した湾曲形状内に送風ファン７を吊着状に配置させ、該送風ファン７が、傘型状骨格枠４の下側の空気を濾過シート６を通じて強制的に吸い上げ、排出するよう構成されたものである。
【００２５】
【作用】
以上のとおりの構成からなるこの発明の卓上型排煙具１は、図５中に示されるベース部２のベース板２１，２１を平面状に展開し、舌片状凸部２３の雌ネジ部２４に、支持ブロック２５下部の雄ネジ部２６を螺着すると、嵌合状となっている舌片状凸部２３と凹欠部２８との接合部上に支持ブロック２５下側面が覆い被さり、ベース板２１，２１の折れ曲がりを阻止する状態に組み立てられる。
【００２６】
支持ブロック２５上端面中央に形成され立設孔２７に、図１に示すように、支柱部３の基端部を刺し込むよう組み合わせ、テレスコープ型の高さ調節構造３１を上下伸縮させながら好適な高さに調節し、支柱部上腕部３２の先端側に複数個配された吊着金具３３，３３，３３の何れか適宜選択した一つに、傘型状骨格枠４の引っ掛け部４１を吊り下げ、各細骨材４２，４２，……を、図２のように、斜め下方に向けて放射状とする如く展開させ、隣接する先端部間の夫々に、コイルバネからなる弾性縁取り線４５，４５，……を僅かに張力を発生する状態に掛け渡し、図３に示すように、下方から半透明の不織布を適宜寸法に裁断し、製作した濾過シート６を重ね合わせ、その中央部下面に抑え網５１、座金５２を配置させた上、蝶ネジ５３の雄ネジ部分を、下方から肉厚部に貫通させると共に、引っ掛け部４１下面に設けられた雌ネジ部に螺着させ、引っ掛け部４１下面および各細骨材４２，４２，……の基部と、抑え網５１との間に濾過シート６の中央付近を挟み込み、保持させたものとする一方、濾過シート６の外側周縁部を、対応する弾性縁取り線４５，４５，……の夫々に巻き付け、その上から、図４のように、適宜複数箇所の夫々に握着金具４６，４６，……を装着して仮止めし、濾過シート６を傘型状骨格枠４全体に張設すれば、卓上にベ−ス部２を設置したときに、傘型状骨格枠４が所望する高さ位置に水平状に吊り下げ、保持されたものとなる。
【００２７】
このようにして、図１中に示す如く組み立てられた卓上型排煙具１は、その傘型状骨格枠４が、引っ掛け部４１付近で一番高くなり、各細骨材４２，４２，……の先端側で低くなるよう形成されているので、例えばテーブル上で調理されている料理から舞い上がる煙が、傾斜された濾過シート６下面に沿って上昇しながら、引っ掛け部４１付近に達するまでの間に上方に通り抜け、その際に煙成分が濾過シート６の繊維中に吸着され、特別な送風機構等を設けずとも、煙や湯気の対流によって上側に通過した空気が、自動的に清浄化されるものとなる。
【００２８】
使用後の卓上型排煙具１は、支柱部３から傘型状骨格枠４を取り外し、握着金具４６，４６，……および中央取着構造５を離脱して濾過シート６を外し、各細骨材４２，４２，……を、図２中に示す矢印の如く折り畳み、ベース部２から取り外した支柱部３を縮小させ、ベース部２の支持ブロック２５を取り外してしまって、ベース板２１，２１を重ね合わせ状に折り畳み、小型化することが可能である。
【００２９】
また、図６中に示すベース部２は、二枚のベース板２１，２１間に開口された嵌着孔２９に支持ブロック２５を装着し、該支持ブロック２５基部の各係合爪を、嵌着孔２９の対応する係合溝に夫々係合させると共に、ベ−ス板２１，２１接合部の外側縁に沿って形成されたレール溝に沿って、仮止め用移動駒をスライド移動させれば、二枚のベース板２１，２１が、一枚の板状に仮固定される。
【００３０】
更に、仮止め用移動駒をベース板２１，２１の接合縁部から外れるようにスライドさせ、支持ブロック２５の係合爪を弾性変形させるよう操作すれば、支持ブロック２５を嵌着孔２９から取り外し、二枚のベ−ス板２１，２１を折り畳みできる状態とすことが可能である。図７の支柱部３を使用する際には、上腕部３２を基端側から引き出し、各ヒンジ構造３４，３４を展開させて水平状とした先端側に吊着金具３３を装着した上、該吊着金具３３をスライド移動させて最適の配置となるよう位置調節した後に、傘型状骨格枠４を吊着することが可能であり、収納するときには、傘型状骨格枠４および吊着金具３３を取り外した後、上腕部３２のヒンジ構造３４，３４を折り畳み、重ね合わせ状として縮小化した上、基端部側内部に収納することが可能である。
【００３１】
更にまた、図８中に示される卓上型排煙具１のように、各細骨材４２，４２，……の先端側、およびこれに装着される濾過シート６の外周縁部夫々を、上方に向けて延伸させ、短い排風路を形成し、その中央に送風ファン７を配置させた構造とすれば、卓上の加熱調理器や調理食品等から舞い上がる煙が、送風ファン７によって強制的に送風され、図中矢印で示すように、傘型状骨格枠４に張設された濾過シート６の下面部、およびその外周側に回り込んだ煙をも吸い上げるようにして、短い排風路を形成している鉛直状の壁面部からも通過して、上方に強制排気するものとなり、より効率的な排煙浄化が行われることとなる。
【００３２】
【効果】
以上のとおり、この発明の卓上型排煙具によれば、卓上のコンロやホットプレート等の加熱調理器の鉛直上方に傘型状骨格枠が配置されるよう設置することにより、鍋や焼肉等の調理中に立ち昇る湯気や煙が、その対流現象によって自動的に該傘型状骨格枠に張設された濾過シートを通過し、湯気や煙の元となる粒子成分を同濾過シートの繊維に吸着し、清浄化された空気だけが濾過シートを通過し、天井付近まで上昇した後、再び室内を巡るように流動することとなり、特別な吸排気構造等を設けなくとも、連続的な排煙を可能とするものであり、使用後には分解、折り畳み状態にして収納することが可能なので、常時設置しておく必要がなく、卓上に設置、使用するために高所での作業が不要で、濾過シートの交換や高さ調節等の操作を安全な手元で行うことが可能であり、高齢者や子供にも容易に組み立て、設置、および分解、収納することができるという秀れた特徴を発揮するものとなる。
【００３３】
特に、実施例に説明した卓上型排煙具１は、上記した特徴に加え、傘型状骨格枠４の細骨材４２，４２，……の先端間の夫々に、図３に示すような弾性縁取り線４５，４５，……を着脱自在に掛け渡したことから、傘型状骨格枠４の歪みやガタつきを防止して所望する剛性を確保することができると共に、図４中に示すように、濾過シート６の外周縁部の複数適所を仮止めすることができるものとなり、更に、中央付近を中央取着構造５が、引っ掛け部４１の下部に仮り固定することにより、皺や弛み等を生じることなく、濾過シート６を傘型状骨格枠４の内側形状に沿うよう張着することができるという利点が得られるものとなる。
【００３４】
また、濾過シート６を半透明な不織布から形成したことにより、室内照明を程よく透過して、食卓を明るく保つことができる上、図１に示すように、支柱部３の高さ調節構造３１や、複数個設けられた吊着金具３３の位置の選択、または図７のように、吊着金具３３をスライド調節することによって加熱調理器具の高さや鍋の大きさ、煙の出方等に応じ、傘型状骨格枠４の細かな位置を自在に調節することができるという効果が期待できるものとなる上、更に、傘型状骨格枠４の外周縁に、鉛直状に立ち上がる短尺な排風路を形成し、その内側に送風ファン７を設けた構造としたものでは、図８中の矢印のように、より広い範囲から立ち昇る煙や湯気を、強制的に吸引することが可能となり、小型・高性能化を実現可能とし、卓上周辺の煙草の煙等も排煙可能とすることができるという極めて実用的な効果を奏するものとなる。
【００３５】
叙述の如く、この発明の卓上型排煙具は、その新規な構成によって所期の目的を遍く達成可能とするものであり、しかも、製造も容易であって簡素且つ軽量な構造とすることができ、従前からの照明器具と一体化された構造のものに比較し、遥かに経済的で廉価なものとして提供することができる上、その取り扱い性や濾過シートの交換等メンテナンス面での容易性等も兼ね備えており、焼肉や鍋等を存分に楽しみたいものの、その為にわざわざ大掛かりな換気施設や比較的高価な空気清浄器等を設置する程でもないと考える一般家庭等において、その経済性と利用価値とが高く評価され、広範に渡って採用、普及していくものになると予想される。
【図面の簡単な説明】
図面は、この発明の卓上型排煙具の技術的思想を具現化した代表的な幾つかの実施例を示すものである。
【図１】    卓上型排煙具の構造を示す斜視図である。
【図２】    傘型状骨格枠の構造を示す斜視図である。
【図３】    濾過シートの張着構造を示す斜視図である。
【図４】    濾過シートを傘型状骨格枠に張着した状態を示す斜視図である。
【図５】    ベ−ス部の折り畳み構造を示す斜視図である。
【図６】    外の構造のベース部を示す斜視図である。
【図７】    外の構造の支柱部を示す斜視図である。
【図８】    送風ファンを設けた卓上型排煙具を示す斜視図である。
【符号の説明】
１      卓上型排煙具
２      ベース部
２１    同  ベ−ス板
２２    同  ヒンジ金具
２３    同  舌片状凸部
２４    同  雌ネジ部
２５    同  支持ブロック
２６    同  雄ネジ部
２７    同  立設孔
２８    同  凹欠部
２９    同  嵌着孔
３      支柱部
３１    同  高さ調節構造
３２    同  上腕部
３３    同  吊着金具
３４    同  ヒンジ構造
４      傘型状骨格枠
４１    同  引っ掛け部
４２    同  細骨材
４３    同  ヒンジ部
４４    同  繋着環
４５    同  弾性縁取り線
４６    同  握着金具
５      中央取着構造
５１    同  抑え網
５２    同  座金
５３    同  蝶ネジ
６      濾過シート
７      送風ファン
【図１】
0003756396.tif 000002
【図２】
0003756396.tif 000003
【図３】
0003756396.tif 000004
【図４】
0003756396.tif 000005
【図５】
0003756396.tif 000006
【図６】
0003756396.tif 000007
【図７】
0003756396.tif 000008
【図８】
0003756396.tif 000009